(57)【特許請求の範囲】
【請求項１】
乗物に乗車口カード処理機と降車口カード処理機とが設けられ、金銭的価値が記録される金額カードを使用した乗車運賃収受を行うカード処理システムにおいて、
上記乗車口カード処理機が、
乗車時に挿入される金額カードに記録されている情報を読取る第１の読取手段と、
この第１の読取手段で読取った金額カード情報に乗車地情報を付加して記憶する記憶手段とを有し、
上記降車口カード処理機が、
降車時に挿入される金額カードに記録されている情報を読取る第２の読取手段と、
この第２の読取手段で読取った金額カード情報を用いて上記記憶手段に記憶された金額カード情報を検索する検索手段と、
この検索手段で検索された金額カード情報に付加された乗車地情報を用いて乗車運賃を算出する算出手段と、
この算出手段で算出された乗車運賃を当該金額カードの金銭的価値から差引き、差引かれた金銭的価値を当該金額カードに記録する処理を行う処理手段と、
上記乗物が運行途中で運行不能になった際、事故扱いを指示する指示手段と、
この指示手段で事故扱いが指示された際、上記算出手段と上記処理手段とを停止し、上記検索手段で検索された金額カード情報に付加された乗車地情報と事故扱い情報とを当該金額カードに記録する制御を行う制御手段と、
を具備したことを特徴とするカード処理システム。
【請求項２】
乗物に乗車口カード処理機と降車口カード処理機とが設けられ、金銭的価値が記録される金額カードを使用した乗車運賃収受を行うカード処理システムにおいて、
上記乗車口カード処理機が、
乗車時に挿入される金額カードに乗車地情報を記録する記録手段を有し、
上記降車口カード処理機が、
降車時に挿入される金額カードに記録されている乗車地情報を読取る読取手段と、
この読取手段で読取った乗車地情報を用いて乗車運賃を算出する算出手段と、
この算出手段で算出された乗車運賃を当該金額カードの金銭的価値から差引き、差引かれた金銭的価値を当該金額カードに記録する処理を行う処理手段と、
上記乗物が運行途中で運行不能になった際、事故扱いを指示する指示手段と、
この指示手段で事故扱いが指示された際、上記算出手段と上記処理手段とを停止し、上記読取手段で乗車地情報を読取った金額カードに事故扱い情報を記録する制御を行う制御手段と、
を具備したことを特徴とするカード処理システム。
【請求項３】
乗物に乗車口カード処理機と降車口カード処理機とが設けられ、金銭的価値が記録される金額カードを使用した乗車運賃収受を行うカード処理システムにおいて、
上記乗車口カード処理機が、
乗車時に挿入される金額カードに記録されている情報を読取る第１の読取手段と、
この第１の読取手段で読取った金額カード情報に乗車地情報を付加して記憶する第１の記憶手段とを有し、
上記降車口カード処理機が、
降車時に挿入される金額カードに記録されている情報を読取る第２の読取手段と、
この第２の読取手段で読取った金額カード情報を用いて上記第１の記憶手段に記憶された金額カード情報を検索する検索手段と、
この検索手段で検索された金額カード情報に付加された乗車地情報を用いて乗車運賃を算出する算出手段と、
この算出手段で算出された乗車運賃を当該金額カードの金銭的価値から差引き、差引かれた金銭的価値を当該金額カードに記録する処理を行う処理手段と、
この処理手段で処理された処理情報を記憶する第２の記憶手段と、
上記乗物が運行途中で運行不能になった際、事故扱いを指示する指示手段と、
この指示手段で事故扱いが指示された際、上記算出手段と上記処理手段とを停止し、上記検索手段で検索された金額カード情報と乗車地情報に事故扱い情報を付加して上記第２の記憶手段に記憶する制御を行う制御手段と、
を具備したことを特徴とするカード処理システム。
【請求項４】
乗物に乗車口カード処理機と降車口カード処理機とが設けられ、金銭的価値が記録される金額カードを使用した乗車運賃収受を行うカード処理システムにおいて、
上記乗車口カード処理機が、
乗車時に挿入される金額カードに記録されている情報を読取る第１の読取手段と、
この第１の読取手段で読取った金額カード情報に乗車地情報を付加して記憶する記憶手段とを有し、
上記降車口カード処理機が、
降車時に挿入される金額カードに記録されている情報を読取る第２の読取手段と、
この第２の読取手段で読取った当該金額カード情報に乗車地情報と事故扱い情報とが記録されているか否かを確認する確認手段と、
この確認手段の確認で乗車地情報と事故扱い情報とが記録されていなかった場合、乗車地情報を入力する入力手段と、この入力手段で入力された乗車地情報を用いて乗車運賃を算出する算出手段と、
この算出手段で算出された乗車運賃を当該金額カードの金銭的価値から差引き、差引かれた金銭的価値を当該金額カードに記録する処理を行う処理手段と、
上記確認手段の確認で乗車地情報と事故扱い情報とが記録されていた場合、事故扱いカードとして、記録されていた乗車地情報から上記算出手段を用いて乗車運賃を算出し、上記処理手段を用いて算出された乗車運賃を当該金額カードの金銭的価値から差引き、差引かれた金銭的価値を当該金額カードに記録する処理を行う制御手段と、
を具備したことを特徴とするカード処理システム。
【請求項５】
乗物に乗車口カード処理機と降車口カード処理機とが設けられ、金銭的価値が記録される金額カードを使用した乗車運賃収受を行うカード処理システムにおいて、
上記乗車口カード処理機が、
乗車時に挿入される金額カードに乗車地情報を記録する記録手段を有し、
上記降車口カード処理機が、
降車時に挿入される金額カードに記録されている情報を読取る読取手段と、
この読取手段で読取った情報に事故扱い情報が記録されているか否かを確認する確認手段と、
この確認手段の確認で事故扱い情報が記録されていなかった場合、読取った情報の乗車地情報を用いて乗車運賃を算出する算出手段と、
この算出手段で算出された乗車運賃を当該金額カードの金銭的価値から差引き、差引かれた金銭的価値を当該金額カードに記録する処理を行う処理手段と、
上記確認手段の確認で事故扱い情報が記録されていた場合、事故扱いカードとして、記録されている乗車地情報から上記算出手段を用いて乗車運賃を算出し、上記処理手段を用いて算出された乗車運賃を当該金額カードの金銭的価値から差引き、差引かれた金銭的価値を当該金額カードに記録する処理を行う制御手段と、
を具備したことを特徴とするカード処理システム。
【請求項６】
乗物に乗車口カード処理機と降車口カード処理機とが設けられ、金銭的価値が記録される金額カードを使用した乗車運賃収受を行うカード処理システムにおいて、
上記乗車口カード処理機が、
乗車時に挿入される金額カードに記録されている情報を読取る第１の読取手段と、
この第１の読取手段で読取った金額カード情報に乗車地情報を付加して記憶する第１の記憶手段とを有し、
上記降車口カード処理機が、
装着自在に設けられ、予め事故扱いカードとして金額カード情報に乗車地情報と事故扱い情報とが付加されて記憶された第２の記憶手段と、
降車時に挿入される金額カードに記録されている情報を読取る第２の読取手段と、
この第２の読取手段で読取った金額カード情報を用いて上記第１の記憶手段、または上記第２の記憶手段に記憶された金額カード情報を検索する検索手段と、
この検索手段で検索された金額カード情報に付加された乗車地情報を用いて乗車運賃を算出する算出手段と、
この算出手段で算出された乗車運賃を当該金額カードの金銭的価値から差引き、差引かれた金銭的価値を当該金額カードに記録する処理を行う処理手段と、
を具備したことを特徴とするカード処理システム。
【請求項７】
第１の乗物に第１の乗車口カード処理機と第１の降車口カード処理機とが設けられ、第２の乗物に第２の乗車口カード処理機と第２の降車口カード処理機とが設けられ、金銭的価値が記録される金額カードを使用した乗車運賃収受を行うカード処理システムにおいて、
上記第１の乗物が運行途中で運行不能になった際、上記第１の降車口カード処理機が、
事故扱いを指示する指示手段と、
この指示手段で事故扱いが指示された際、降車時に挿入される金額カードに乗車地情報と事故扱い情報とを記録する制御を行う第１の制御手段とを有し、
上記第１の乗物の代替としての第２の乗物における第２の降車口カード処理機が、
降車時に挿入される金額カードに記録されている情報を読取る読取手段と、
この読取手段で読取った当該金額カード情報に乗車地情報と事故扱い情報とが記録されているか否かを確認する確認手段と、
この確認手段の確認で乗車地情報と事故扱い情報とが記録されていた場合、事故扱いカードとして、記録されていた乗車地情報から乗車運賃を算出し、算出した乗車運賃を当該金額カードの金銭的価値から差引き、差引かれた金銭的価値を当該金額カードに記録する処理を行う第２の制御手段と、
を具備したことを特徴とするカード処理システム。
【請求項８】
第１の乗物に第１の乗車口カード処理機と第１の降車口カード処理機とが設けられ、第２の乗物に第２の乗車口カード処理機と第２の降車口カード処理機とが設けられ、金銭的価値が記録される金額カードを使用した乗車運賃収受を行うカード処理システムにおいて、
上記第１の乗物が運行途中で運行不能になった際、上記第１の降車口カード処理機が、
事故扱いを指示する指示手段と、
この指示手段で事故扱いが指示された際、降車時に挿入される乗車時に乗車地情報が記録された金額カードに事故扱い情報を記録する制御を行う第１の制御手段と、
上記第１の乗物の代替としての第２の乗物における第２の降車口カード処理機が、
降車時に挿入される金額カードに記録されている情報を読取る読取手段と、
この読取手段で読取った情報に事故扱い情報が記録されているか否かを確認する確認手段と、
この確認手段の確認で事故扱い情報が記録されていた場合、事故扱いカードとして、記録されている乗車地情報から乗車運賃を算出し、算出された乗車運賃を当該金額カードの金銭的価値から差引き、差引かれた金銭的価値を当該金額カードに記録する処理を行う第２の制御手段と、
を具備したことを特徴とするカード処理システム。
【請求項９】
第１の乗物に第１の乗車口カード処理機と第１の降車口カード処理機とが設けられ、第２の乗物に第２の乗車口カード処理機と第２の降車口カード処理機とが設けられ、金銭的価値が記録される金額カードを使用した乗車運賃収受を行うカード処理システムにおいて、
上記第１の乗物が運行途中で運行不能になった際、上記第１の降車口カード処理機が、
事故扱いを指示する指示手段と、
この指示手段で事故扱いが指示された際、降車時に挿入される金額カードの情報を読取る読取手段と、
この読取手段で読取った金額カード情報から予め乗車時に記憶された金額カード情報に付加された乗車地情報を検索する第１の検索手段と、
着脱自在に設けられ、上記第１の検索手段で検索された乗車地情報とその金額カード情報とに事故扱い情報を付加して記憶する記憶手段とを有し、
上記第１の乗物の代替としての第２の乗物における第２の降車口カード処理機が、
上記記憶手段が装着され、装着された記憶手段の読出し、書込みを行う読出書込手段と、
降車時に挿入される金額カードに記録されている情報を読取る読取手段と、
この読取手段で読取った金額カード情報を用いて上記読出書込手段を介して上記記憶手段に記憶された金額カード情報を検索する第２の検索手段と、
この第２の検索手段で検索された金額カード情報に付加された乗車地情報を用いて乗車運賃を算出する算出手段と、
この算出手段で算出された乗車運賃を当該金額カードの金銭的価値から差引き、差引かれた金銭的価値を当該金額カードに記録する処理を行う処理手段と、
を具備したことを特徴とするカード処理システム。
【発明の詳細な説明】
【０００１】
【発明の属する技術分野】
この発明は、たとえばバスや路面電車等の乗物において、プリペイドカードを使用した乗車運賃収受を行うカード処理システムに関する。
【０００２】
【従来の技術】
バスや路面電車等の乗物（以降、バスと記述する）において、プリペイドカードを使用した乗車運賃収受を行う場合、バスには降車口の運転手の横に運賃箱とカード処理機（以降、降車口カード処理機と記述する）が併設され、さらに運賃が多区間方式の場合、乗車口には整理券発行機と乗車口カード処理機が設置されている。
【０００３】
均一区間同一運賃方式の場合は、乗客が降車時に降車口カード処理機にカードを挿入し、カードから運賃が引き去られる。運賃が多区間方式（乗車区間に応じ運賃が異なる）の場合は、乗車時は乗車口カード処理機にカードを挿入し、乗車地データがカードに記録されるかカード処理機の記憶部に記憶され、降車時は降車口カード処理機にカードを挿入すると乗車地に応じた運賃をカードかカード処理機に記憶された乗車地のデータを基に降車口カード処理機が運賃を算出し、カードから運賃を引去る。
【０００４】
運行中にバスが故障した場合、途中から他のバスに乗り換えることになるが、乗換え後の運賃支払いは、従来、客の自己申告（降車時に乗車区間を運転手に告げ乗車運賃を決定する）により処理していた。この場合、降車時に運賃が自動算出できないため、客の申告により運転手が手操作で乗車地から運賃を設定し、降車カード処理を行っていた。
【０００５】
しかしながら、この方法では、運転手の操作が煩雑で客の降車に時間がかかり運転手、客の両方にとって不便であり、また、客によっては申告内容が不正確であったり失念している場合もあり、正確な運賃収受ができない。
【０００６】
【発明が解決しようとする課題】
上記したように、バス等の乗物が故障で運行不能になり、他のバス等の乗物を利用した際、プリペイドカードを使用した乗車運賃収受を行う場合、客の自己申告により処理していたが、降車時に運賃が自動算出できないため、客の申告により運転手が手操作で乗車地から運賃を設定して降車カード処理を行っていたので、運転手の操作が煩雑で客の降車に時間がかかり、運転手、客の両方にとって不便であり、また、客によっては申告内容が不正確であったり失念している場合もあり、正確な運賃収受ができないという問題があった。
【０００７】
そこで、この発明は、バス等の乗物が故障で運行不能になり、他のバス等の乗物を利用する場合でも客の自己申告による係員の入力処理を省力化し、通常と同じように正確なカード処理を行うことのできるカード処理システムを提供することを目的とする。
【０００８】
【課題を解決するための手段】
この発明のカード処理システムは、乗物に乗車口カード処理機と降車口カード処理機とが設けられ、金銭的価値が記録される金額カードを使用した乗車運賃収受を行うカード処理システムにおいて、上記乗車口カード処理機が、乗車時に挿入される金額カードに記録されている情報を読取る第１の読取手段と、この第１の読取手段で読取った金額カード情報に乗車地情報を付加して記憶する記憶手段とを有し、上記降車口カード処理機が、降車時に挿入される金額カードに記録されている情報を読取る第２の読取手段と、この第２の読取手段で読取った金額カード情報を用いて上記記憶手段に記憶された金額カード情報を検索する検索手段と、この検索手段で検索された金額カード情報に付加された乗車地情報を用いて乗車運賃を算出する算出手段と、この算出手段で算出された乗車運賃を当該金額カードの金銭的価値から差引き、差引かれた金銭的価値を当該金額カードに記録する処理を行う処理手段と、上記乗物が運行途中で運行不能になった際、事故扱いを指示する指示手段と、この指示手段で事故扱いが指示された際、上記算出手段と上記処理手段とを停止し、上記検索手段で検索された金額カード情報に付加された乗車地情報と事故扱い情報とを当該金額カードに記録する制御を行う制御手段とから構成されている。
【０００９】
この発明のカード処理システムは、乗物に乗車口カード処理機と降車口カード処理機とが設けられ、金銭的価値が記録される金額カードを使用した乗車運賃収受を行うカード処理システムにおいて、上記乗車口カード処理機が、乗車時に挿入される金額カードに乗車地情報を記録する記録手段を有し、上記降車口カード処理機が、降車時に挿入される金額カードに記録されている乗車地情報を読取る読取手段と、この読取手段で読取った乗車地情報を用いて乗車運賃を算出する算出手段と、この算出手段で算出された乗車運賃を当該金額カードの金銭的価値から差引き、差引かれた金銭的価値を当該金額カードに記録する処理を行う処理手段と、上記乗物が運行途中で運行不能になった際、事故扱いを指示する指示手段と、この指示手段で事故扱いが指示された際、上記算出手段と上記処理手段とを停止し、上記読取手段で乗車地情報を読取った金額カードに事故扱い情報を記録する制御を行う制御手段とから構成されている。
【００１０】
この発明のカード処理システムは、乗物に乗車口カード処理機と降車口カード処理機とが設けられ、金銭的価値が記録される金額カードを使用した乗車運賃収受を行うカード処理システムにおいて、上記乗車口カード処理機が、乗車時に挿入される金額カードに記録されている情報を読取る第１の読取手段と、この第１の読取手段で読取った金額カード情報に乗車地情報を付加して記憶する第１の記憶手段とを有し、上記降車口カード処理機が、降車時に挿入される金額カードに記録されている情報を読取る第２の読取手段と、この第２の読取手段で読取った金額カード情報を用いて上記第１の記憶手段に記憶された金額カード情報を検索する検索手段と、この検索手段で検索された金額カード情報に付加された乗車地情報を用いて乗車運賃を算出する算出手段と、この算出手段で算出された乗車運賃を当該金額カードの金銭的価値から差引き、差引かれた金銭的価値を当該金額カードに記録する処理を行う処理手段と、この処理手段で処理された処理情報を記憶する第２の記憶手段と、上記乗物が運行途中で運行不能になった際、事故扱いを指示する指示手段と、この指示手段で事故扱いが指示された際、上記算出手段と上記処理手段とを停止し、上記検索手段で検索された金額カード情報と乗車地情報に事故扱い情報を付加して上記第２の記憶手段に記憶する制御を行う制御手段とから構成されている。
【００１１】
この発明のカード処理システムは、乗物に乗車口カード処理機と降車口カード処理機とが設けられ、金銭的価値が記録される金額カードを使用した乗車運賃収受を行うカード処理システムにおいて、上記乗車口カード処理機が、乗車時に挿入される金額カードに記録されている情報を読取る第１の読取手段と、この第１の読取手段で読取った金額カード情報に乗車地情報を付加して記憶する記憶手段とを有し、上記降車口カード処理機が、降車時に挿入される金額カードに記録されている情報を読取る第２の読取手段と、この第２の読取手段で読取った当該金額カード情報に乗車地情報と事故扱い情報とが記録されているか否かを確認する確認手段と、この確認手段の確認で乗車地情報と事故扱い情報とが記録されていなかった場合、乗車地情報を入力する入力手段と、この入力手段で入力された乗車地情報を用いて乗車運賃を算出する算出手段と、この算出手段で算出された乗車運賃を当該金額カードの金銭的価値から差引き、差引かれた金銭的価値を当該金額カードに記録する処理を行う処理手段と、上記確認手段の確認で乗車地情報と事故扱い情報とが記録されていた場合、事故扱いカードとして、記録されていた乗車地情報から上記算出手段を用いて乗車運賃を算出し、上記処理手段を用いて算出された乗車運賃を当該金額カードの金銭的価値から差引き、差引かれた金銭的価値を当該金額カードに記録する処理を行う制御手段とから構成されている。
【００１２】
この発明のカード処理システムは、乗物に乗車口カード処理機と降車口カード処理機とが設けられ、金銭的価値が記録される金額カードを使用した乗車運賃収受を行うカード処理システムにおいて、上記乗車口カード処理機が、乗車時に挿入される金額カードに乗車地情報を記録する記録手段を有し、上記降車口カード処理機が、降車時に挿入される金額カードに記録されている情報を読取る読取手段と、この読取手段で読取った情報に事故扱い情報が記録されているか否かを確認する確認手段と、この確認手段の確認で事故扱い情報が記録されていなかった場合、読取った情報の乗車地情報を用いて乗車運賃を算出する算出手段と、この算出手段で算出された乗車運賃を当該金額カードの金銭的価値から差引き、差引かれた金銭的価値を当該金額カードに記録する処理を行う処理手段と、上記確認手段の確認で事故扱い情報が記録されていた場合、事故扱いカードとして、記録されている乗車地情報から上記算出手段を用いて乗車運賃を算出し、上記処理手段を用いて算出された乗車運賃を当該金額カードの金銭的価値から差引き、差引かれた金銭的価値を当該金額カードに記録する処理を行う制御手段とから構成されている。
【００１３】
この発明のカード処理システムは、乗物に乗車口カード処理機と降車口カード処理機とが設けられ、金銭的価値が記録される金額カードを使用した乗車運賃収受を行うカード処理システムにおいて、上記乗車口カード処理機が、乗車時に挿入される金額カードに記録されている情報を読取る第１の読取手段と、この第１の読取手段で読取った金額カード情報に乗車地情報を付加して記憶する第１の記憶手段とを有し、上記降車口カード処理機が、装着自在に設けられ、予め事故扱いカードとして金額カード情報に乗車地情報と事故扱い情報とが付加されて記憶された第２の記憶手段と、降車時に挿入される金額カードに記録されている情報を読取る第２の読取手段と、この第２の読取手段で読取った金額カード情報を用いて上記第１の記憶手段、または上記第２の記憶手段に記憶された金額カード情報を検索する検索手段と、この検索手段で検索された金額カード情報に付加された乗車地情報を用いて乗車運賃を算出する算出手段と、この算出手段で算出された乗車運賃を当該金額カードの金銭的価値から差引き、差引かれた金銭的価値を当該金額カードに記録する処理を行う処理手段とから構成されている。
【００１４】
この発明のカード処理システムは、第１の乗物に第１の乗車口カード処理機と第１の降車口カード処理機とが設けられ、第２の乗物に第２の乗車口カード処理機と第２の降車口カード処理機とが設けられ、金銭的価値が記録される金額カードを使用した乗車運賃収受を行うカード処理システムにおいて、上記第１の乗物が運行途中で運行不能になった際、上記第１の降車口カード処理機が、事故扱いを指示する指示手段と、この指示手段で事故扱いが指示された際、降車時に挿入される金額カードに乗車地情報と事故扱い情報とを記録する制御を行う第１の制御手段とを有し、上記第１の乗物の代替としての第２の乗物における第２の降車口カード処理機が、降車時に挿入される金額カードに記録されている情報を読取る読取手段と、この読取手段で読取った当該金額カード情報に乗車地情報と事故扱い情報とが記録されているか否かを確認する確認手段と、この確認手段の確認で乗車地情報と事故扱い情報とが記録されていた場合、事故扱いカードとして、記録されていた乗車地情報から乗車運賃を算出し、算出した乗車運賃を当該金額カードの金銭的価値から差引き、差引かれた金銭的価値を当該金額カードに記録する処理を行う第２の制御手段とから構成されている。
【００１５】
この発明のカード処理システムは、第１の乗物に第１の乗車口カード処理機と第１の降車口カード処理機とが設けられ、第２の乗物に第２の乗車口カード処理機と第２の降車口カード処理機とが設けられ、金銭的価値が記録される金額カードを使用した乗車運賃収受を行うカード処理システムにおいて、上記第１の乗物が運行途中で運行不能になった際、上記第１の降車口カード処理機が、事故扱いを指示する指示手段と、この指示手段で事故扱いが指示された際、降車時に挿入される乗車時に乗車地情報が記録された金額カードに事故扱い情報を記録する制御を行う第１の制御手段と、上記第１の乗物の代替としての第２の乗物における第２の降車口カード処理機が、降車時に挿入される金額カードに記録されている情報を読取る読取手段と、この読取手段で読取った情報に事故扱い情報が記録されているか否かを確認する確認手段と、この確認手段の確認で事故扱い情報が記録されていた場合、事故扱いカードとして、記録されている乗車地情報から乗車運賃を算出し、算出された乗車運賃を当該金額カードの金銭的価値から差引き、差引かれた金銭的価値を当該金額カードに記録する処理を行う第２の制御手段とから構成されている。
【００１６】
この発明のカード処理システムは、第１の乗物に第１の乗車口カード処理機と第１の降車口カード処理機とが設けられ、第２の乗物に第２の乗車口カード処理機と第２の降車口カード処理機とが設けられ、金銭的価値が記録される金額カードを使用した乗車運賃収受を行うカード処理システムにおいて、上記第１の乗物が運行途中で運行不能になった際、上記第１の降車口カード処理機が、事故扱いを指示する指示手段と、この指示手段で事故扱いが指示された際、降車時に挿入される金額カードの情報を読取る読取手段と、この読取手段で読取った金額カード情報から予め乗車時に記憶された金額カード情報に付加された乗車地情報を検索する第１の検索手段と、着脱自在に設けられ、上記第１の検索手段で検索された乗車地情報とその金額カード情報とに事故扱い情報を付加して記憶する記憶手段とを有し、上記第１の乗物の代替としての第２の乗物における第２の降車口カード処理機が、上記記憶手段が装着され、装着された記憶手段の読出し、書込みを行う読出書込手段と、降車時に挿入される金額カードに記録されている情報を読取る読取手段と、この読取手段で読取った金額カード情報を用いて上記読出書込手段を介して上記記憶手段に記憶された金額カード情報を検索する第２の検索手段と、この第２の検索手段で検索された金額カード情報に付加された乗車地情報を用いて乗車運賃を算出する算出手段と、この算出手段で算出された乗車運賃を当該金額カードの金銭的価値から差引き、差引かれた金銭的価値を当該金額カードに記録する処理を行う処理手段とから構成されている。
【００１７】
【発明の実施の形態】
以下、この発明の一実施の形態について図面を参照して説明する。
図１は、この発明のカード処理システムに係るバスカード処理システムの構成を示すものである。すなわち、バスには、乗車口に乗車口カード処理機１、降車口に降車口カード処理機２、運賃表示器３、運賃箱４とがそれぞれ設置されている。
【００１８】
図２は、乗車口カード処理機１の概略構成を示すものである。乗車口カード処理機１は、全体を制御するＣＰＵ１１、カード情報等を記憶するメモリ１２、客用表示部１３、アンプ１４、ドライバ１５、通信用ＩＣ１６、挿入されるプリペイドカードＣの読取り、書込みを行う磁気ヘッド１７、プリペイドカードＣを搬送するためのモータ１８、プリペイドカードＣの挿入・排出を検出するセンサ１９、及び警告音を発する警告部２０とから接続されている。なお、通信用ＩＣ１６には、降車口カード処理機２が接続されている。
【００１９】
図３は、降車口カード処理機２の概略構成を示すものである。乗車口カード処理機２は、全体を制御するＣＰＵ２１、カード情報等を記憶するメモリ２２、係員操作盤２３、後述する着脱自在のメモリカードＭの読取り、書込みを行うメモリカードリーダライタ（Ｒ／Ｗ）２４，客用表示部２５、アンプ２６、ドライバ２７、通信用ＩＣ２８、挿入されるプリペイドカードＣの読取り、書込みを行う磁気ヘッド２９、プリペイドカードＣに使用履歴を印字する印字ヘッド３０、プリペイドカードＣを搬送するためのモータ３１、プリペイドカードＣの挿入・排出を検出するセンサ３２、及び警告音を発する警告部３３とから接続されている。
【００２０】
なお、通信用ＩＣ１６には、降車口カード処理機１と運賃表示器３とが接続されている。また、メモリカードＭには、乗客（プリペイドカードＣのカード情報に対応する）毎の乗車地データ、あるいは事故扱いの際の処理内容が記憶される。
【００２１】
図４は、係員操作盤２３の外観構成を示すものである。すなわち、係員操作盤２３は、入切スイッチ４０、スイッチランプ４１、整理券番号、運賃、残額、大人、小人等の表示部４２、テンキー４３、クリア釦４４、セット釦４５、カード精算釦４６、現金精算釦４７、整理券釦４８、全中止釦４９、事故扱い釦５０、大人釦５１、小児釦５２、リセット釦５３、切離釦５４、締切釦５５、異常ランプ５６、乗車異常ランプ５７、全中止ランプ５８、締切ランプ５９、及び事故扱いランプ６０とから構成されている。
【００２２】
次に、このような構成において、プリペイドカードＣを用いたバス乗車時の動作を図５のフローチャートを参照して説明する。
乗車時、乗客は、乗車口カード処理機１にプリペイドカードＣを挿入する（ＳＴ１）。
【００２３】
乗車口カード処理機１のＣＰＵ１１は、センサ１９でプリペイドカードＣの挿入を検出した際、モータ１８を回転させてプリペイドカードＣの取込みを行って磁気ヘッド１７でカード情報を読取り（ＳＴ２）、プリペイドカードＣが使用可能か否かをチェックする（ＳＴ３）。もし、使用不可の場合は警告部２０から警告音を発生してプリペイドカードＣを返却する（ＳＴ４）。
【００２４】
プリペイドカードＣが使用可能ならば、ＣＰＵ１１は、読取ったカード番号、カード残額等のカード情報からカード残額を客用表示部１３に表示してプリペイドカードＣを排出し（ＳＴ５）、読取ったカード情報に乗車地データを付加してメモリ１２に記憶する（ＳＴ６）。
【００２５】
なお、ステップＳＴ５で、当該プリペイドカードＣに乗車地データを付加するようにしても良い。
次に、乗客を乗せたバスがカード処理機１、２以外の故障が発生して運行不能になった場合、後続バス、または代替バスに乗客を移動させる処理について説明する。
【００２６】
この時のバス降車口における処理動作を図６、図７のフローチャートを参照して説明する。
バスが故障でない場合（ＳＴ１１）は、通常処理を行う（ＳＴ１２）。
【００２７】
そして、バスの故障が発生した際（ＳＴ１１）、運転手は、係員操作盤２３の事故扱い釦５０を押下する（ＳＴ１３）。続いて、乗客は、降車口カード処理機２にプリペイドカードＣを挿入する（ＳＴ１４）。
【００２８】
降車口カード処理機２のＣＰＵ２１は、センサ３２でプリペイドカードＣの挿入を検出した際、モータ３１を回転させてプリペイドカードＣの取込みを行って磁気ヘッド２９でカード情報を読取り、取込んだプリペイドカードＣが使用可能か否かをチェックする（ＳＴ１５）。もし、使用不可の場合は警告部３３から警告音を発生してプリペイドカードＣを返却する（ＳＴ１６）。
【００２９】
プリペイドカードＣが使用可能ならば、ＣＰＵ２１は、読取ったカード情報から通信用ＩＣ２８、１６を介して乗車口カード処理機１のメモリ１２に記憶されているカード情報を検索し、そのカード情報に乗車地データが付加されているか否かをチェックする（ＳＴ１７）。
【００３０】
当該プリペイドカードＣのカード情報が検索されて乗車地データが記憶されていれば、ＣＰＵ２１は、乗車地データを読取り（ＳＴ１８）、読取った乗車地データと事故扱いデータとを当該プリペイドカードＣに磁気ヘッド１７を用いて記録し、当該プリペイドカードＣのカード残額を客用表示部２５に表示し、当該プリペイドカードＣを排出する（ＳＴ１９）。
【００３１】
なお、上述したようにＣＰＵ２１は、事故扱い釦５０が押下されているので、当該プリペイドカードＣから運賃を引き去られないで事故扱いデータを記録する。
【００３２】
最後にＣＰＵ２１は、処理の内容をメモリカードＲ／Ｗ２４を用いてメモリカードＭに記憶して終了する（ＳＴ２０）。
また、ステップＳＴ１７で当該プリペイドカードＣのカード情報が検索されないか、検索されたカード情報に乗車地データが記憶されていなければ、ＣＰＵ２１は、当該プリペイドカードＣを内部に保留する（ＳＴ２１）。そして、運転手（係員）は、乗客の申告による乗車地を係員操作盤２３から入力する（ＳＴ２２）。
【００３３】
ＣＰＵ２１は、入力された乗車地データと事故扱いデータとを保留したプリペイドカードＣに磁気ヘッド１７を用いて記録し、保留プリペイドカードＣのカード残額を客用表示部２５に表示し、保留プリペイドカードＣを排出する（ＳＴ２３）。
【００３４】
最後にＣＰＵ２１は、処理の内容をメモリカードＲ／Ｗ２４を用いてメモリカードＭに記憶して終了する（ＳＴ２４）。
このように乗車地データと事故扱いデータとが記録済のプリペイドカードＣを持った乗客は、故障したバスから後続バス、または代替バスに移動する。
【００３５】
次に、後続バスまたは代替バスにおける降車時の動作を図８、図９のフローチャートを参照して説明する。
まず、乗客は、降車口カード処理機２にプリペイドカードＣを挿入する（ＳＴ３１）。
【００３６】
降車口カード処理機２のＣＰＵ２１は、センサ３２でプリペイドカードＣの挿入を検出した際、モータ３１を回転させてプリペイドカードＣの取込みを行って磁気ヘッド２９でカード情報を読取り（ＳＴ３２）、取込んだプリペイドカードＣが使用可能か否かをチェックする（ＳＴ３３）。もし、使用不可の場合は警告部３３から警告音を発生してプリペイドカードＣを返却する（ＳＴ３４）。
【００３７】
プリペイドカードＣが使用可能ならば、ＣＰＵ２１は、乗車地データが記録されているか否かをチェックする（ＳＴ３５）。
乗車地データが記憶されていれば、ＣＰＵ２１は、事故扱いデータが記録されたプリペイドカードＣであるか否かをチェックする（ＳＴ３６）。
【００３８】
事故扱いデータが記録されたプリペイドカードＣであれば、ＣＰＵ２１は、当該プリペイドカードＣに記録された乗車地データから引去る運賃を計算し（ＳＴ３７）、カード情報に記録されたカード残額から運賃を引去り、引去り後のカード残額を客用表示部２５に表示し、プリペイドカードＣを排出する（ＳＴ３８）。
【００３９】
最後にＣＰＵ２１は、引去った運賃データをメモリカードＲ／Ｗ２４を用いてメモリカードＭに記憶して終了する（ＳＴ３９）。
また、ステップＳＴ３６で事故扱いのプリペイドカードＣでない場合、ＣＰＵ２１は、当該プリペイドカードＣから読取ったカード情報を用いて通信用ＩＣ２８、１６を介して乗車口カード処理機１のメモリ１２に記憶されているカード情報を検索し、そのカード情報に付加されている乗車地データを読取り、この乗車地データから引去る運賃を計算し（ＳＴ４０）、カード情報に記録されたカード残額から運賃を引去り、引去り後のカード残額を客用表示部２５に表示し、プリペイドカードＣを排出する（ＳＴ４１）。
【００４０】
最後にＣＰＵ２１は、引去った運賃データをメモリカードＲ／Ｗ２４を用いてメモリカードＭに記憶して終了する（ＳＴ４２）。
また、ステップＳＴ３５で当該プリペイドカードＣのカード情報が検索されないか、検索されたカード情報に乗車地データが記憶されていなければ、ＣＰＵ２１は、当該プリペイドカードＣを内部に保留する（ＳＴ４３）。そして、運転手（係員）は、乗客の申告による乗車地を係員操作盤２３から入力する（ＳＴ４４）。
【００４１】
ＣＰＵ２１は、入力された乗車地データから引去る運賃を計算し（ＳＴ４５）、カード情報に記録されたカード残額から運賃を引去り、引去り後のカード残額を客用表示部２５に表示し、プリペイドカードＣを排出する（ＳＴ４６）。
【００４２】
最後にＣＰＵ２１は、引去った運賃データをメモリカードＲ／Ｗ２４を用いてメモリカードＭに記憶して終了する（ＳＴ４７）。
なお、上記実施例では、事故時に乗客の持っているプリペイドカードＣに乗車地データと事故扱いデータとを記録したが、プリペイドカードＣに記録しないで、乗客の乗車データと事故扱いデータとをメモリカードＭに記録し、故障車から乗換える車（後続車、代替車）にメモリカードＭを移し替える（着脱）ことにより、乗客データを移すようにしても良い。この場合、乗換えた乗客の降車時、メモリカードＭに記録された乗客毎の乗車地データを基に運賃を算出する。
【００４３】
以上説明したように上記発明の実施の形態によれば、バスがカード処理機以外の故障で運行不能になり、他のバス（後続車、代替車）を利用する場合でも乗客の自己申告（他のバス降車時に乗車区間を運転手に告げて乗車運賃を決定する）により係員が手入力等で処理する必要が無く、通常と同じようにカード処理機にカードを挿入するだけで良く、降車処理をスムース（正確、且つ容易）にすることができる。
【００４４】
また、乗客が利用するカードに情報を記録するため、乗客が複数のバス（後続車、代替車）に分散するような場合でも正確、且つ容易に運賃引去り処理を行うことができる。
【００４５】
【発明の効果】
以上詳述したようにこの発明によれば、バス等の乗物が故障で運行不能になり、他のバス等の乗物を利用する場合でも客の自己申告による係員の入力処理を省力化し、通常と同じように正確なカード処理を行うことのできるカード処理システムを提供することができる。
【図面の簡単な説明】
【図１】この発明のカード処理システムに係るバスカード処理システムの構成を示すブロック図。
【図２】乗車口カード処理機の概略構成を示す図。
【図３】降車口カード処理機の概略構成を示す図。
【図４】係員操作盤の外観構成を示す図。
【図５】プリペイドカードを用いたバス乗車時の動作を説明するためのフローチャート。
【図６】運行不能時のバス降車口における処理動作を説明するためのフローチャート。
【図７】運行不能時のバス降車口における処理動作を説明するためのフローチャート。
【図８】後続バスまたは代替バスにおける降車時の動作を説明するためのフローチャート。
【図９】後続バスまたは代替バスにおける降車時の動作を説明するためのフローチャート。
【符号の説明】
１…乗車口カード処理機
２…降車口カード処理機
３…運賃表示器
４…運賃箱
１１、２１…ＣＰＵ
１２、２２…メモリ（記憶手段）
１３、２５…客用表示部
１６、２８…通信用ＩＣ
１７、２９…磁気ヘッド（読取手段、記録手段）
２０、３３…警告部
２３…係員操作盤
２４…メモリカードＲ／Ｗ（読出書込手段）
５０…事故扱い釦（指示手段）
Ｃ…プリペイドカード（金額カード）
Ｍ…メモリカード（記憶手段）
【図１】
0003887061.tif 000002
【図２】
0003887061.tif 000003
【図３】
0003887061.tif 000004
【図４】
0003887061.tif 000005
【図５】
0003887061.tif 000006
【図６】
0003887061.tif 000007
【図７】
0003887061.tif 000008
【図８】
0003887061.tif 000009
【図９】
0003887061.tif 000010